(57)【要約】      （修正有）【課題】釣り用の仕掛けに付着した水分を容易に除去することが可能な仕掛け巻きを提供する。【解決手段】仕掛け巻き１は、釣り用の仕掛けを保管しておくためのものであって、表面２１及び裏面を有する平面部２と、仕掛けに含まれるハリスＡが巻回されるために表面２１から突出した又は突出可能な複数の係止部３と、を備えている。平面部２は、網状に形成されており、網目２３が表面２１から裏面に貫通している。係止部３は、網状に形成された平面部２を部分的に切り欠くことで形成されており、切り欠かれた係止部３は、網を構成する線状部分の先端が露出しないように加工されている。【選択図】図１
0003235512.tif 000002
【実用新案登録請求の範囲】
【請求項１】
釣り用の仕掛けを保管しておくための仕掛け巻きであって、
表面及び裏面を有する平面部と、
前記仕掛けに含まれるハリスが巻回されるために前記表面から突出した又は突出可能な複数の係止部と、
を備え、
前記平面部は、網状に形成されており、網目が前記表面から前記裏面に貫通していることを特徴とする仕掛け巻き。
【請求項２】
前記係止部は、前記網状に形成された平面部を部分的に切り欠くことで形成されており、
前記切り欠かれた係止部は、前記網を構成する線状部分の先端が露出しないように加工されていることを特徴とする請求項１に記載の仕掛け巻き。
【考案の詳細な説明】
【技術分野】
【０００１】
本考案は、釣り用の仕掛けに付着した水分を容易に除去することが可能な仕掛け巻きに関する。
【背景技術】
【０００２】
従来より、ハリス巻回体に形成された切り起こし片によりハリス等を保持する釣り用の仕掛け巻き具が知られている（例えば、特許文献１参照）。
【先行技術文献】
【特許文献】
【０００３】
【特許文献１】特開２０２１−０６２８７２
【考案の概要】
【考案が解決しようとする課題】
【０００４】
ところで、釣り後の仕掛けは、海水により濡れているため、濡れた状態のまま仕掛け巻きに巻回されて保管されることが多い。
【０００５】
そこで、本考案は、仕掛けに付着した水分を容易に除去することが可能な仕掛け巻きを提供することを目的としている。
【課題を解決するための手段】
【０００６】
上記課題を解決するために、本考案は、釣り用の仕掛けを保管しておくための仕掛け巻きであって、表面及び裏面を有する平面部と、前記仕掛けに含まれるハリスが巻回されるために前記表面から突出した又は突出可能な複数の係止部と、を備え、前記平面部は、網状に形成されており、網目が前記表面から前記裏面に貫通していることを特徴とする仕掛け巻きを提供している。
【０００７】
このような構成によれば、仕掛け巻きを軽く振るだけで、仕掛けに付着した水分の大部分を容易に除去することが可能となる。また、仕掛け巻きを振らなくても、釣り道具入れに収容する前に地面等に放置しておくだけで、仕掛けに付着した水分の大部分が自動的に除去される。更に、従来は、ハリスの巻き終わりに釣り針を係止部に引っかけていたが、釣り針を引っかけるのにちょうど良い位置に係止部が存在しないことも多く、この場合には、ハリスが緩んでしまう。しかしながら、上記構成による仕掛け巻きでは、網目が至るところに存在するため、多数の網目の中から最適な網目に係止部を引っかけることで、ハリスが緩んでしまうことも抑制される。
【０００８】
また、前記係止部は、前記網状に形成された平面部を部分的に切り欠くことで形成されており、前記切り欠かれた係止部は、前記網を構成する線状部分の先端が露出しないように加工されていることが好ましい。
【０００９】
このような構成によれば、容易に係止部を形成することができると共に、先端が露出して使い勝手が悪くなってしまうことが防止される。
【考案の効果】
【００１０】
本考案の仕掛け巻きによれば、仕掛けに付着した水分を容易に除去することが可能となる。
【図面の簡単な説明】
【００１１】
【図１】本考案の実施の形態による仕掛け巻きの平面図
【図２】本考案の実施の形態による仕掛け巻きの側面図
【図３】本考案の実施の形態による係止部の加工の説明図
【考案を実施するための形態】
【００１２】
以下で、本考案の実施の形態による仕掛け巻き１について、図１−３を参照して説明する。
【００１３】
仕掛け巻き１は、釣り用の仕掛けを保管しておくためのものであって、図１及び図２に示すように、平面部２と、複数の係止部３と、を備えている。
【００１４】
平面部２は、表面２１及び裏面２２を有している。本実施の形態では、平面部２は、薄い略円板形状を有している。
【００１５】
また、平面部２は、網状に形成されており、網目２３が表面２１から裏面２２に貫通している。本実施の形態では、平面部２は、樹脂で形成されており、外縁部２４を除き、全体が網状に形成されているものとする。なお、図１では、煩雑化を避けるために網の数を減らして表示しているが、図３に示すように、係止部３が、ある程度のまとまりを有する程度の網の数（網目２３の間隔）であることが好ましい。
【００１６】
複数の係止部３は、仕掛けに含まれるハリスＡが巻回されるために表面２１から突出している。本実施の形態では、複数の係止部３は、略円周上に形成されている。ハリスＡは、この略円周上に形成された複数の係止部３に掛け渡されて巻回されることとなる。なお、本実施の形態では、複数の係止部３は、一の略円周上に形成されているが、２重、３重等の円周上に形成されても良い。
【００１７】
また、係止部３は、網状に形成された平面部２を部分的に切り欠くことで形成されており、切り欠かれた係止部３は、上記網を構成する線状部分の先端２５が露出しないように加工されている。
【００１８】
これは、平面部２を切り欠くと、係止部３には、図３（a）に示すように、先端２５が露出してしまい、使い勝手が悪くなってしまうため、図３（ｂ）に示すように、先端２５が露出しないように加工されていることを意味する。加工としては、例えば、係止部３が樹脂で形成されている場合には、熱溶着により先端２５同士を溶着させる等が考えられる。
【００１９】
なお、本実施の形態では、係止部３は、上記円周における中心側が平面部２との接続を維持されるように切り欠かれている。これにより、複数の係止部３に掛け渡されて巻回されたハリスＡは、係止部３と表面２１との間に挟まれ、強固に保持されることとなる。
【００２０】
上記構成の下、仕掛け（ハリスＡ）は、複数の係止部３に巻回された状態で保管されることとなるが、平面部２が、網目２３が表面２１から裏面２２に貫通するように網状に形成されているため、仕掛け巻き１を軽く振るだけで、仕掛けに付着した水分の大部分を除去することが可能となる。
【００２１】
以上説明したように、本実施の形態による仕掛け巻き１では、平面部２は、網状に形成されており、網目２３が表面２１から裏面２２に貫通している。
【００２２】
このような構成によれば、仕掛け巻き１を軽く振るだけで、仕掛けに付着した水分の大部分を容易に除去することが可能となる。また、仕掛け巻き１を振らなくても、釣り道具入れに収容する前に地面等に放置しておくだけで、仕掛けに付着した水分の大部分が自動的に除去される。更に、従来は、ハリスの巻き終わりに釣り針を係止部に引っかけていたが、釣り針を引っかけるのにちょうど良い位置に係止部が存在しないことも多く、この場合には、ハリスが緩んでしまう。しかしながら、本実施の形態による仕掛け巻き１では、網目２３が至るところに存在するため、多数の網目２３の中から最適な網目２３に係止部３を引っかけることで、ハリスが緩んでしまうことも抑制される。
【００２３】
また、本実施の形態による仕掛け巻き１では、係止部３は、網状に形成された平面部２を部分的に切り欠くことで形成されており、切り欠かれた係止部３は、上記網を構成する線状部分の先端２５が露出しないように加工されている。
【００２４】
このような構成によれば、容易に係止部３を形成することができると共に、先端２５が露出して使い勝手が悪くなってしまうことが防止される。
【００２５】
尚、本考案の仕掛け巻きは、上述した実施の形態に限定されず、実用新案登録請求の範囲に記載した範囲で種々の変形や改良が可能である。
【００２６】
例えば、上記実施の形態では、係止部３は、網状に形成された平面部２を部分的に切り欠くことで形成されたが、係止部を別途取り付ける構成であっても「仕掛けに付着した水分の大部分を除去する」という効果は得られる。
【００２７】
また、上記実施の形態では、切り欠かれた係止部３は、表面２１から突出していたが、突出していなくても突出可能であれば良い。
【００２８】
また、上記実施の形態では、格子状の網を例に説明を行ったが、格子以外の網を採用しても良いし、部分的に網目のサイズが異なる網を採用しても良い。
【符号の説明】
【００２９】
１          仕掛け巻き
２          平面部
３          係止部
２１      表面
２２      裏面
２３      網目
２４      外縁部
２５      先端
Ａ          ハリス
【図１】
0003235512.tif 000003
【図２】
0003235512.tif 000004
【図３】
0003235512.tif 000005